(57)【要約】      （修正有）【課題】バーベキューコンロは使わない時に折畳むことができ、保管に必要なスペースが少ないコンパクトバーベキューコンロを提供する。【解決手段】枠１、前壁２、後壁３、第１側壁４Ａ、第２側壁４Ｂ、焼き網５、炭焼きプレート６を含み、枠１は長方形の一体化構造のフレームを呈し、枠１の内側と側壁４Ａ、４Ｂ、前壁２、後壁３との結合部に柱型横軸７、８が設けられ、前壁２と後壁３にいずれも二つのスライド孔９が設けられ、側壁４Ａ、４Ｂに二つのスライド孔１２が設けられ、焼き網５は長方形で、孔が均一に分布したネット状ステンレススチール一体化構造であり、焼き網５に四つのクランプ部が設けられ、クランプ部はネジを介して焼き網と接続され、炭焼きプレート６に四つのクランプ部が設けられ、クランプ部の位置は前壁２のスライド孔９の位置と対応している。【選択図】図１
0003215288.tif 000002
【実用新案登録請求の範囲】
【請求項１】
枠、前壁、後壁、第１側壁、第２側壁、焼き網、及び炭焼きプレートを含み、
前記枠は長方形の一体化構造のフレームであり、
第１横軸が前記枠の長辺の内側に隣接して配置され、第２横軸が前記枠の短辺の内側に隣接して配置され、
前記第１横軸が、前壁と後壁にそれぞれ固定された丸管に貫設されることにより、前記前壁と後壁が前記第１横軸の回りにそれぞれ回動可能であり、
前記第２横軸が、前記第１側壁と第２側壁にそれぞれ固定された丸管に貫設されることにより、前記第１側壁と第２側壁が前記第２横軸の回りにそれぞれ回動可能であり、
前記前壁と後壁にそれぞれ二つの第１スライド孔が設けられ、
前記第１側壁と第２側壁にそれぞれ二つの第２スライド孔が設けられ、
前記後壁と前壁の構造は同じであり、いずれもステンレススチールによる構造であり、
前記第１側壁と第２側壁の構造は同じであり、いずれもステンレススチールによる構造であり、
前記焼き網は長方形で、孔が均一に分布したネット状のステンレススチールの一体化構造であり、
前記焼き網の短辺にそれぞれ第１クランプ部が設けられ、前記第１クランプ部はネジを介して前記焼き網と接続され、
前記第１クランプ部の位置は前記第１スライド孔の位置と対応しており、
前記炭焼きプレートは長方形を呈し、その長辺にそれぞれ第２クランプ部が設けられ、前記第２クランプ部はネジを介して前記炭焼きプレートと接続され、
前記第２クランプ部の位置は前記第２スライド孔の位置と対応していることを特徴とする折り畳み可能コンパクトバーベキューコンロ。
【請求項２】
前記第１横軸は前記枠の短辺と接続され、第２横軸は前記枠の長辺と接続され、前記第１横軸と、第２横軸と、枠の長辺と短辺の接続部は重なることはなく、前記第１横軸と第２横軸は上下に交差されており、前記第１横軸及び第２横軸と枠との間隔は、前記側壁と前壁と後壁との厚さより１〜３mm大きい請求項１の折り畳み可能コンパクトバーベキューコンロ。
【請求項３】
前記第１スライド孔は前記前壁及び後壁に存在し、長方形を呈した縦長の貫通孔であり、前記第１スライド孔は対称的に前記前壁及び後壁の左右両側にそれぞれ分布しており、前記第１スライド孔の中部に二つの水平的で外に向くクランプ位置が設けられ、前記第１スライド孔の底部に二つの水平的で外に向くクランプ位置が設けられている請求項１の折り畳み可能コンパクトコンロ。
【請求項４】
前記第２スライド孔は前記第１側壁及び第２側壁に存在し、長方形を呈した縦長の貫通孔であり、前記第２スライド孔は対称的に前記側壁の左右両側に分布しており、前記第２スライド孔の中部に二つの水平的で外に向くクランプ位置が設けられ、前記第２スライド孔の底部に二つの水平的で外に向くクランプ位置が設けられている請求項１の折り畳み可能コンパクトバーベキューコンロ。
【請求項５】
前記第１スライド孔の頂部位置は前記第２スライド孔の頂部位置より３〜５cm低く、前記第１スライド孔の底部位置は前記第２スライド孔の底部位置より８〜１２cm低い請求項１の折り畳み可能コンパクトバーベキューコンロ。
【請求項６】
前記側壁、前壁、後壁のエッジは全部角を丸く仕上げる面取り加工を行なった請求項１の折り畳み可能コンパクトバーベキューコンロ。
【考案の詳細な説明】
【技術分野】
【０００１】
本実用新案はバーベキューコンロ用品、特に、折り畳み可能コンパクトバーベキューコンロに関する。
【背景技術】
【０００２】
人々の生活水準が日増しに向上するにつれて、家庭バーベキューはパーティーの中でよく見られる通常モードとなり、バーベキューコンロも不可欠な食器になってきた。市販のバーベキューコンロは、普通、持ち運びに不便であり、洗浄に困難である欠点があると同時に、一部のバーベキューコンロは素材が悪く、仕上がりが粗末で、さらに外観を美しくさせるため、塗装処理を行った場合さえある。塗装処理を受けたバーベキューコンロは使用中に大量の有害ガスを起す可能性があり、安全性に課題がある。
【考案の概要】
【考案が解決しようとする課題】
【０００３】
市販のバーベキューコンロが存在する不足に対し、本実用新案は折り畳み可能コンパクトバーベキューコンロを提供する。
【課題を解決するための手段】
【０００４】
その技術問題を解決するため、本実用新案は次の技術方案を採用している。すなわち、本考案は、枠、前壁、後壁、第１側壁、第２側壁、焼き網、及び炭焼きプレートを含み、前記枠は長方形の一体化構造のフレームであり、第１横軸が前記枠の長辺の内側に隣接して配置され、第２横軸が前記枠の短辺の内側に隣接して配置され、前記第１横軸が、前壁と後壁にそれぞれ固定された丸管に貫設されることにより、前記前壁と後壁が前記第１横軸の回りにそれぞれ回動可能であり、前記第２横軸が、前記第１側壁と第２側壁にそれぞれ固定された丸管に貫設されることにより、前記第１側壁と第２側壁が前記第２横軸の回りにそれぞれ回動可能であり、前記前壁と後壁にそれぞれ二つの第１スライド孔が設けられ、前記第１側壁と第２側壁にそれぞれ二つの第２スライド孔が設けられ、前記後壁と前壁の構造は同じであり、いずれもステンレススチールによる構造であり、前記第１側壁と第２側壁の構造は同じであり、いずれもステンレススチールによる構造であり、前記焼き網は長方形で、孔が均一に分布したネット状のステンレススチールの一体化構造であり、前記焼き網の短辺にそれぞれ第１クランプ部が設けられ、前記第１クランプ部はネジを介して前記焼き網と接続され、前記第１クランプ部の位置は前記第１スライド孔の位置と対応しており、前記炭焼きプレートは長方形を呈し、その長辺にそれぞれ第２クランプ部が設けられ、前記第２クランプ部はネジを介して前記炭焼きプレートと接続され、前記第２クランプ部の位置は前記第２スライド孔の位置と対応していることを特徴とする折り畳み可能コンパクトバーベキューコンロである。
【０００５】
前記枠、炭焼きプレートは３0４ステンレススチールを採用し、食べ物と直接に接触する前記焼き網、前壁、後壁、第１側壁、第２側壁は全部が食品クラスのステンレススチールを採用することが好ましい。
【０００６】
前記第１横軸は前記枠の短辺と接続され、第２横軸は前記枠の長辺と接続され、前記第１横軸と、第２横軸と、枠の長辺と短辺の接続部は重なることはなく、前記第１横軸と第２横軸は上下に交差されており、前記第１横軸及び第２横軸と枠との間隔は、前記側壁と前壁と後壁との厚さより１〜３mm大きい。
【０００７】
前記第１スライド孔は前記前壁及び後壁に存在し、長方形を呈した縦長の貫通孔であり、前記第１スライド孔は対称的に前記前壁及び後壁の左右両側にそれぞれ分布しており、前記第１スライド孔の中部に二つの水平的で外に向くクランプ位置が設けられ、前記第１スライド孔の底部に二つの水平的で外に向くクランプ位置が設けられている。
【０００８】
前記第２スライド孔は前記第１側壁及び第２側壁に存在し、長方形を呈した縦長の貫通孔であり、前記第２スライド孔は対称的に前記側壁の左右両側に分布しており、前記第２スライド孔の中部に二つの水平的で外に向くクランプ位置が設けられ、前記第２スライド孔の底部に二つの水平的で外に向くクランプ位置が設けられている。
【０００９】
前記第１スライド孔の頂部位置は前記第２スライド孔の頂部位置より３〜５cm低く、前記第１スライド孔の底部位置は前記第２スライド孔の底部位置より８〜１２cm低い。
【００１０】
前記側壁、前壁、後壁のエッジは全部角を丸く仕上げる面取り加工を行なったため、使用中に使用者を傷付ける恐れはない。
【００１１】
第１横軸は溶接によって枠の短辺と接続され、第２横軸は溶接によって枠の長辺と接続され、前記横軸は全部が３0４ステンレススチール材質を採用する。
【００１２】
前記第２側壁は第１側壁のあらゆる構造を有し、また底部エッジに近い位置に二つの丸い孔が設けられていることが好ましい。
【００１３】
本折り畳み可能コンパクトバーベキューコンロは使用時に、焼き網は第２クランプ部を通じ、第２スライド孔の底部に位置し、炭焼きプレートは第１クランプ部を介して第１スライド孔の底部にクランプされる。バーベキュー中に、炭を添加したり、炭の灰を処理する必要がある場合、炭焼きプレートを上へ前記第１スライド孔のクランプ位置を変えて移動し、炭焼きプレートを取り外し、炭の添加または炭の灰の処理を行なう。バーベキュー終了後、炭焼きプレートを前記第１スライド孔のクランプ位置を変えて移動し、焼き網を側壁のクランプ位置を変えて移動し、この時、炭焼きプレートと焼き網を取り外して洗浄し、この時、側壁、前壁と後壁も洗浄し易い。洗浄した後、新しく折り畳み可能コンパクトバーベキューコンロを組み立て、バーベキューコンロを逆さまにし、重力作用によって、焼き網と炭焼きプレートは下へスライド孔の枠に近い側にスライドし、軽く側壁、前壁と後壁を押すと、バーベキューコンロは折り畳まれ、折り畳まれたバーベキューコンロは保管スペースが小さく、携帯に便利である。
【考案の効果】
【００１４】
本考案の有利な効果は次の通りである。(１)クランプ部とスライド孔の設計によって、本バーベキューコンロは使用しない時に折り畳むことができ、保管スペースが小さく、従来のバーベキューコンロの体積が大きく、携帯に不便な問題を解決した。(２)炭焼きプレートの取り外し可能設計は従来のコンロの洗浄に不便な問題を解決した。
【図面の簡単な説明】
【００１５】
【図１】本考案の実施形態の折り畳み可能コンパクトバーベキューコンロの構造を示す斜視図。
【図２】本実施形態における枠の構造を示す裏面図。
【図３】本実施形態における前壁と後壁の構造を示す正面図。
【図４】本実施形態における第１側壁の構造を示す右側面図。
【図５】本実施形態における第２側壁の構造を示す左側面。
【図６】本実施形態における焼き網の構造を示す平面図。
【図７】本実施形態における炭焼きプレートの構造を示す平面図。
【図８】本実施形態の折り畳まれた後の状態を示す平面図。
【図９】本実施形態の折り畳まれた後の底面図。
【考案を実施するための形態】
【００１６】
本考案の実施形態について、図面を参照してより詳しい説明をする。
【００１７】
本考案の記述の中で、述語「上」、「下」、「前」、「後」、「頂部」、「底部」等に示された方向または位置関係は図１に基づいた方向または位置関係であり、ただ、本考案の記述の便利性と記述の簡略化を図るもので、関係装置またはセンサーは必ず特定の方向を持ち、特定の方向で構造し、操作すべきであることを示す、または、暗示するものではないため、本考案に対する制限であると理解してはならない。
【００１８】
図は折り畳み可能コンパクトバーベキューコンロを示し、枠１、前壁２、後壁３、第１側壁４Ａ、第２側壁４Ｂ、焼き網５、炭焼きプレート６を含んでいる。
【００１９】
枠１と炭焼きプレート６は３０４ステンレススチールを採用しており、前壁２、後壁３、第１側壁４Ａ、第２側壁４Ｂ、食べ物と接触する焼き網５は、全部、食品クラスのステンレススチールを採用している。
【００２０】
図１と図２に示すように、枠１は長方形の一体化構造のフレームを呈し、枠１の内側に隣接して、その長辺１Ａと平行に第１横軸７、短辺１Ｂと平行に第２横軸８が設けられている。前壁２と後壁３を回動可能に取り付ける第１横軸７は、溶接によって枠１の短辺１Ｂの端部と接続されている。側壁４Ａ，４Ｂを回動可能に取り付ける第２横軸８は、溶接によって枠１の長辺１Ａの端部と接続されている。横軸７，８は全部が３０４ステンレスのスチール材質を採用する。横軸７，８と、枠１の短辺１Ｂと長辺１Ａの接続部は重なることなく、また、第１横軸７と第２横軸８の両端部は、上下に交差している。横軸７，８と枠１の間隔は、側壁４Ａ，４Ｂと前壁２と後壁３の厚さより１〜３mm大きい。
【００２１】
枠１の長辺１Ａと隣接する所において、第１横軸７が貫通する三つの丸管（図示略）が前壁２の上端に均等に設けられている。図３に示すように、前壁２に二つの第１スライド孔９が縦長に設けられている。第１スライド孔９は前壁２に存在し、長方形を呈した貫通孔である。第１スライド孔９は対称的に前壁２の左右両側に分布している。第１スライド孔９の中部に二つの水平的で外に向くクランプ位置１０が設けられ、第１スライド孔９の底部に二つの水平的で外に向くクランプ位置１１が設けられている。後壁３と前壁２の構造は同じであり、いずれも食品クラスのステンレススチールの一体化構造である。図１には枠１の長辺１Ａと隣接する所に、均等に三つの丸管２０に第１横軸７が貫通しており、丸管２０は後壁３の上端に固定されている。
【００２２】
枠１の短辺１Ｂと隣接する所において、第２横軸８が貫通する丸管（図示略）が側壁４Ａ，４Ｂの上端に設けられている。図４に示すように、第１側壁４Ａに二つの第２スライド孔１２が設けられている。第２スライド孔１２は第１側壁４Ａに縦長で存在し、長方形を呈した貫通孔である。第２スライド孔１２は対称的に側壁４Ａ，４Ｂの左右両側に分布している。第２スライド孔１２の中部に二つの水平的で外に向くクランプ位置１３が設けられ、第２スライド孔１２の底部に二つの水平的で外に向くクランプ位置１４が設けられている。
【００２３】
図５に示すように、第２側壁４Ｂは第１側壁４Ａのあらゆる構造を有し、また、底部エッジに近い位置に二つの丸孔１５が設けられている。第１側壁４Ａと第２側壁４Ｂはいずれも食品クラスのステンレススチールの一体化構造である。
【００２４】
第１スライド孔９の頂部位置は第２スライド孔１２の頂部位置より３〜５cm低く、第１スライド孔９の底部位置は第２スライド孔１２の底部位置より８〜１２cm低い。
【００２５】
図６に示すように、焼き網５は長方形を呈し、孔が均一に分布したネット状の食品クラスのステンレススチールの一体化構造である。焼き網５の二つの短辺にそれぞれ二つのクランプ部１６が設けられ、全部で四つのクランプ部１６が設けられている。クランプ部１６はネジ１７を介して焼き網５と接続され、クランプ部１６の位置は第２スライド孔１２の位置と対応している。
【００２６】
図７に示すように、炭焼きプレート６は長方形を呈し、二つの長辺にそれぞれ二つのクランプ部１６が設けられ、全部で四つのクランプ部１６が設けられ、クランプ部１６はネジ１７を介して炭焼きプレート６と接続され、クランプ部１６の位置は第１スライド孔９の位置と対応している。
【００２７】
側壁４Ａ，４Ｂ、前壁２、後壁３のエッジは全部の角を丸く仕上げる面取り加工を行なったため、使用中に使用者を傷付ける恐れはない。
【００２８】
本実施形態の折り畳み可能コンパクトバーベキューコンロは、使用時に、焼き網５はクランプ部１６を通じ、第２スライド孔１２の底部に位置し、炭焼きプレート６はクランプ部１６を介して第１スライド孔９の底部にクランプされる。バーベキュー中に、炭を添加したり、炭の灰を処理する必要がある場合、炭焼きプレート６を第１スライド孔９のクランプ位置１０（図３参照）に上方向へ移動し、炭焼きプレート６を取り外し、炭の添加または炭の灰の処理を行なう。バーベキュー終了後、炭焼きプレート６を第１スライド孔９のクランプ位置１０に移動し、焼き網５を側壁２のクランプ位置１３に移動する。この時、炭焼きプレート６と焼き網５を取り外して洗浄する。この時、側壁４Ａ，４Ｂ、前壁２と後壁３も洗浄し易い。洗浄した後、新しく折り畳み可能コンパクトバーベキューコンロを組み立て、このバーベキューコンロを逆さまにし、重力作用によって、焼き網５と炭焼きプレート６は下へ第１スライド孔９，第２スライド孔１２の枠１に近い側にスライドする。前壁２と後壁３と側壁４Ａ，４Ｂを軽く押すと、バーベキューコンロは折り畳まれる。図８は折り畳まれたバーベキューコンロの鳥瞰図である。図９は折り畳まれたバーベキューコンロの見上げ図である。折り畳まれたバーベキューコンロはその厚さが枠１の厚さである。保管スペースは枠１の占めるスペースである。折り畳まれたバーベキューコンロは保管スペースが小さく、携帯に便利である。
【００２９】
材料は繰り返してテストが行なわれた後、最終に厚さ１．０mm以上のスチールシートに確定される。７２時間、連続してマシンメイドチャコールによるバーベキュー過程において、スチールシートは変形しない。
【００３０】
本実施形態の有利な効果は次の通りである。(１)クランプ部１６と第１スライド孔９，１２の設計によって、バーベキューコンロは使用しない時に折り畳むことができ、保管スペースが小さく、従来のバーベキューコンロの体積が大きく、携帯に不便な問題を解決した。(２)炭焼きプレート６の取り外し可能設計は従来のコンロの洗浄に不便な問題を解決した。
【００３１】
本考案は上記の実施方式に限定されたものではない。いかなる人も本考案の啓発によって他の各種形式の製品を得ることができる。本願の実用新案登録請求範囲によって規定された構成と同等の変化と修飾は、全部、本考案のカバーする範囲に属する。
【符号の説明】
【００３２】
１・・・枠
２・・・前壁
３・・・後壁
４Ａ・・・第１側壁
４Ｂ・・・第２側壁
５・・・焼き網
６・・・炭焼きプレート
７・・・第１横軸
８・・・第２横軸
９・・・第１スライド孔
１０・・・クランプ位置
１１・・・クランプ位置
１２・・・第２スライド孔
１３・・・クランプ位置
１４・・・クランプ位置
１５・・・丸孔
１６・・・クランプ部
１７・・・ネジ
【図１】
0003215288.tif 000003
【図２】
0003215288.tif 000004
【図３】
0003215288.tif 000005
【図４】
0003215288.tif 000006
【図５】
0003215288.tif 000007
【図６】
0003215288.tif 000008
【図７】
0003215288.tif 000009
【図８】
0003215288.tif 000010
【図９】
0003215288.tif 000011